(57)【要約】【課題】多方向に立体的な表現が出来、少ないＬＥＤ発光体でアイキャッチ効果を高めるために必要な鮮やかさを表現出来る装飾部を備えた表示装置を提供することを目的とする。【解決手段】ＬＥＤ発光体３を備え文字や絵を表示する表示部２と、ＬＥＤ発光体３２で装飾発光を行う装飾部４１を有している表示装置において、装飾部４１には中央部から傾斜して外側に拡がる反射面を有している多面体５を備え、多面体５の中央部や反射面の少なくとも１面に、ＬＥＤ発光体３２を配置して構成する。【選択図】図１
2009053232.tif 000002
【特許請求の範囲】
【請求項１】
ＬＥＤ発光体により文字や絵等を表示する表示部と、装飾発光を行う装飾部を有し、前記装飾部は多面体を有していることを特徴とする表示装置。
【請求項２】
前記多面体は、中央部から傾斜して外側に拡がる反射面を有したことを特徴とする請求項１記載の表示装置。
【請求項３】
前記多面体の中央部には、少なくとも１つのＬＥＤ発光体を取り付けたことを特徴とする請求項１または請求項２記載の表示装置。
【請求項４】
前記多面体の少なくとも１面には、少なくとも１つのＬＥＤ発光体を取り付けた請求項１乃至請求項３記載の表示装置。
【請求項５】
前記多面体に取付けられたＬＥＤ発光体が、単色であることを特徴とする請求項１乃至請求項４記載の表示装置。
【請求項６】
前記多面体に取付けられたＬＥＤ発光体が、複数色で配置されたことを特徴とする請求項１乃至請求項４記載の表示装置。
【発明の詳細な説明】
【技術分野】
【０００１】
本発明は、ＬＥＤ発光体をマトリックス状に配置し、文字や図形等を表示する表示装置に関するものである。
【背景技術】
【０００２】
従来、複数のＬＥＤ発光体を備え文字や図形等を表示する表示装置がある。その装置のほとんどは、市街地や大通りといった人や車の往来のある場所に設置され、店の営業宣伝や情報等の文字、店の営業内容をアピール表現するための図形等を表示するために利用されている。また文字や図形を表示する表示部とは別に、Ｒ(赤)、Ｇ(緑）、Ｂ(青)色等の複数種類のＬＥＤ発光体を用いて装飾発光を行う装飾部を設け、アイキャッチ効果により人の目を向けるようにした装置が主流となっている。
【０００３】
例えば、下記特許文献１で開示している表示装置１の外観正面図を図５に示す。下記特許文献では、マトリックス状にＬＥＤ発光体３を配して構成される表示部２を備え、さらにＬＥＤ発光体３１で装飾発光を行う装飾部４を有した表示装置を開示している。前記装飾部に光源光を縦横四方向に回折する回折格子フィルムを備えることで、ＬＥＤ発光体３１が幾重にも点在するかのような発光表示を可能とし、これにより注意喚起力を高めている。
【特許文献１】特開２００３―２５５８６６号公報
【発明の開示】
【発明が解決しようとする課題】
【０００４】
しかしながら、特許文献１のような従来の表示装置では、装飾部のＬＥＤ発光体を基板１枚に同方向に実装するため、装飾が１方向で平面的な表現しか出来ないという課題が有る。また、アイキャッチ効果を高めるための鮮やかさを求めることが困難となっていた。本発明は、上記課題を解決するために、多方向に立体的な表現が出来、少ないＬＥＤ発光体を多く見せることでアイキャッチ効果を高めるための鮮やかさを表現出来る装飾部を備えた表示装置を提供することを目的とする。
【課題を解決するための手段】
【０００５】
上記目的を達成するために、本発明は、ＬＥＤ発光体により文字や絵等を表示する表示部と、装飾発光を行う装飾部を有し、前記装飾部の少なくとも１ヶ所に、中央部から傾斜して外側に拡がる反射面を有している多面体を少なくとも１つ備え、前記多面体の中央や少なくとも１面に少なくとも１つのＬＥＤ発光体を取り付けたことを特徴とする表示装置である。
【発明の効果】
【０００６】
本発明は装飾発光を行う装飾部の少なくとも１ヶ所に、中央部から傾斜して外側に拡がる反射面を有している多面体を少なくとも１つ備え、前記多面体の中央や少なくとも１面に少なくとも１つのＬＥＤ発光体を取り付けたことにより、ＬＥＤ発光体の取付け位置に関して方向や奥行きを与えることを可能とし、１方向で平面的な表現でなく多方向に立体的な装飾表現を可能とした。また、ＬＥＤ発光体自身が多面体の反射面により反射されて映し出される為、数少ないＬＥＤ発光体で、多くのＬＥＤ発光体を使用しているかのような表現が出来る。
【０００７】
また前記装飾部に備えられた多面体の中央や反射面に取付けられた少なくとも１つのＬＥＤ発光体を単色とすることでＬＥＤ発光体の単色強調を可能としている。
【０００８】
また前記装飾部に備えられた多面体の中央や反射面に取付けられた少なくとも１つのＬＥＤ発光体を少なくとも２色以上で配置することで、アイキャッチ効果を高めるために必要な鮮やかさを表現する事を可能としている。
【発明を実施するための最良の形態】
【０００９】
以下本発明の実施の形態について、図面を参照しながら説明する。
【００１０】
（実施の形態１）
図５は従来例の表示装置１を正面より見た外観説明図である。表示装置１はマトリックス状にＬＥＤ発光体３を配して構成される表示部２を備え、さらにＬＥＤ発光体３１で装飾発光を行う装飾部４を有した表示装置である。前記装飾部に光源光を縦横四方向に回折する回折格子フィルムを備えることで、ＬＥＤ発光体３１が幾重にも点在するかのような発光表示を可能としている。
【００１１】
しかし、この例では装飾部４のＬＥＤ発光体３１を同方向に実装しているため、装飾が１方向で平面的な表現しか出来ない。また、ＬＥＤ発光体３１を幾重にも点在するかのような発光表現を可能としているが、これではまだ鮮やかな表現が困難である。
【００１２】
図１は本発明の一実施の形態の表示装置１１を正面より見た外観説明図である。本実施の形態では、表示部２の４隅にＬＥＤ発光体３２により装飾発光を行う装飾部４１を有している。
【００１３】
図２は表示装置１１の装飾部４１を拡大した正面図である。多面体５は中央部から傾斜して外側に拡がる反射面を有している多面体である。本実施の形態では、多面体５は３面ずつが同形状の６面体で構成されていて、作製方法としては低コストにするために合成樹脂の成形品とし、多面体の内側のみにアルミ蒸着を施したものとする。ＬＥＤ発光体３３とＬＥＤ発光体３４は多面体５に設けられた取付け用穴６に取り付けられる。ここで、合成樹脂材を成形し内側にアルミ蒸着を施す手法を用いているが、多面体の構成やアルミ蒸着に限定されることではない。
【００１４】
図３は、表示装置１１の装飾部４１を拡大した側面図である。本実施の形態では、ＬＥＤ発光体３４は多面体５の中央から1個、ＬＥＤ発光体３３は多面体の３面から内側に向けて１個ずつ取付けられている。またＬＥＤ発光体３３とＬＥＤ発光体３４から制御基板７までは内部配線を保護するために筒形状の部材８により繋ぐ。また筒型状の部材８と制御基板７の間はスペーサ９で固定する。このようにすることで、ＬＥＤ発光体３２の取付け位置に方向や奥行きを与えることが可能となり、１方向で平面的な表現でなく多方向に立体的な装飾表現が可能となる。
【００１５】
図４は、装飾部４１の多面体５の反射面にＬＥＤ発光体３３とＬＥＤ発光体３４が映し出された様子を表した図である。図４に示すように、多面体内部の反射面によりＬＥＤ発光体３３自身が３箇所に反射され、ＬＥＤ発光体３３の反射像３５が映し出されている。もう２面のＬＥＤ発光体においても同様なことが言える。また同様に、多面体の中央に取付けられたＬＥＤ発光体３４は反射面により３箇所に反射され、ＬＥＤ発光体３４の反射像３６が映し出されている。したがって、多面体５にはＬＥＤ発光体３３を３個、ＬＥＤ発光体３４を１個しか取付けていないが、各ＬＥＤ発光体が４倍に、つまりＬＥＤ発光体３２の合計が４倍の１６個存在しているかのように表現することが出来る。このように数少ないＬＥＤ発光体３２で、多くのＬＥＤ発光体を使用しているかのような表現を可能としている。
【００１６】
また装飾部４１に備えられた多面体の中央や反射面に取付けられたＬＥＤ発光体を単色とすることでＬＥＤ発光体の単色強調を可能としている。
【００１７】
また装飾部４１に備えられた多面体の中央や反射面に取付けられたＬＥＤ発光体を少なくとも２色以上で配置することで、アイキャッチ効果を高めるために必要な鮮やかさを表現する事を可能としている。
【産業上の利用可能性】
【００１８】
本発明の表示装置は、ＬＥＤ発光体の取付け位置に方向や奥行きを与えることが可能となり、１方向で平面的な表現でなく多方向に立体的な装飾表現が可能となる。また、ＬＥＤ発光体自身が多面体内部の反射面により反射されて映し出される為、数少ないＬＥＤ発光体で、多くのＬＥＤ発光体を使用しているかのような表現が出来、単色強調または、アイキャッチ効果を高めるために必要な鮮やかさを表現する事を可能とする。したがって、ＬＥＤ発光体をマトリックス状に配置し、文字や図形を表示する表示装置に利用することが出来る。
【図面の簡単な説明】
【００１９】
【図１】本発明の一実施の形態の表示装置１１を正面より見た外観説明図
【図２】本発明の一実施の形態の表示装置１１の装飾部４１を拡大した正面図
【図３】本発明の一実施の形態の表示装置１１の装飾部４１を拡大した側面図
【図４】本発明の一実施の形態の表示装置１１の装飾部４１の多面体５の反射面にＬＥＤ発光体３２が映し出された様子を表した図
【図５】従来例の表示装置１を正面より見た外観説明図
【符号の説明】
【００２０】
１  従来例の表示装置
２  表示部
３  ＬＥＤ発光体
４  従来例の装飾部
５  本発明の装飾部に備えた多面体
６  取付け用穴
７  制御基板
８  筒形状の部材
９  スペーサ
１１  本発明の表示装置
３１  従来例の装飾部のＬＥＤ発光体
３２  本発明の装飾部のＬＥＤ発光体
３３  本発明の装飾部の多面体の面に取付けられたＬＥＤ発光体
３４  本発明の装飾部の多面体の中央に取付けられたＬＥＤ発光体
３５  ＬＥＤ発光体３３の反射像
３６  ＬＥＤ発光体３４の反射像
４１  本発明の装飾部
【図１】
2009053232.tif 000003
【図２】
2009053232.tif 000004
【図３】
2009053232.tif 000005
【図４】
2009053232.tif 000006
【図５】
2009053232.tif 000007